(57)【要約】【課題】外扉の支軸を固定した支軸固定板を用いる構成であっても、製造コストの低減を図ることのできる自動販売機を提供する。【解決手段】自動販売機本体１０に支軸固定板４２を固定するボルト４３が螺合可能な第１の固定孔１０ａ及び第２の固定孔１０ｂを設け、支軸固定板４２には、第１の固定孔１０ａに螺合するボルト４３を挿通することにより支軸４１を第１の軸位置に位置決めする第１の挿通孔４２ａと、第２の固定孔１０ｂに螺合するボルト４３を挿通することにより支軸４１を第２の軸位置に位置決めする第２の挿通孔４２ｂとを設けたので、外扉２０の仕様が異なる場合など支軸４１の位置を変更する場合においても、共通の支軸固定板４２を用いることができ、製造コストの低減を図ることができる。【選択図】図４
2006079153.tif 000002
【特許請求の範囲】
【請求項１】
前面を開口した自動販売機本体と、自動販売機本体の前面を開閉する外扉と、外扉の下端側を回動自在に支持する支軸と、支軸が上方に延びるように固定され、自動販売機本体側にボルトによって固定される支軸固定板とを備えた自動販売機において、
前記自動販売機本体側に支軸固定板を固定するボルトが螺合可能な第１の固定孔及び第２の固定孔を設け、
支軸固定板には、第１の固定孔に螺合するボルトを挿通することにより支軸を自動販売機本体に対して所定の第１の軸位置に位置決めする第１の挿通孔と、第２の固定孔に螺合するボルトを挿通することにより支軸を自動販売機本体に対して第１の軸位置とは異なる所定の第２の軸位置に位置決めする第２の挿通孔とを設けた
ことを特徴とする自動販売機。
【請求項２】
前記第１及び第２の固定孔の間隔と第１及び第２の挿通孔の間隔とを互いに第１及び第２の軸位置の間隔だけ距離が異なるように形成した
ことを特徴とする請求項１記載の自動販売機。
【請求項３】
前記支軸固定板の下面に支軸の下端側を突出させてなる突出部を設け、
第１及び第２の軸位置に対応する自動販売機本体側の所定位置には突出部を係合することによりボルトに対する支軸固定板の回動を規制する回動規制孔を設けた
ことを特徴とする請求項１または２記載の自動販売機。
【請求項４】
前記第１及び第２の軸位置に対応する回動規制孔を一つの長孔によって形成した
ことを特徴とする請求項３記載の自動販売機。
【請求項５】
前面を開口した自動販売機本体と、自動販売機本体の前面を開閉する外扉と、外扉の下端側を回動自在に支持する支軸と、支軸が上方に延びるように固定され、自動販売機本体側にボルトによって固定される支軸固定板とを備えた自動販売機において、
前記支軸固定板の下面に支軸の下端側を突出させてなる突出部を設け、
自動販売機本体側には突出部を係合することによりボルトに対して支軸固定板の回動を規制する回動規制孔を設けた
ことを特徴とする自動販売機。
【請求項６】
前記支軸固定板の幅方向一端側に上方に屈曲する屈曲部を設けた
ことを特徴とする請求項１、２、３または５記載の自動販売機。
【発明の詳細な説明】
【技術分野】
【０００１】
本発明は、自動販売機本体の前面を開閉する回動自在な外扉を備えた自動販売機に関するものである。
【背景技術】
【０００２】
従来、この種の自動販売機としては、前面を開口した自動販売機本体と、自動販売機本体の前面を開閉する外扉と、外扉の下端側を回動自在に支持する支軸と、支軸が上方に延びるように固定され、自動販売機本体側にボルトによって固定される支軸固定板とを備えたものが知られている（例えば、特許文献１参照）。
【特許文献１】特開平６−７６１５２号公報
【発明の開示】
【発明が解決しようとする課題】
【０００３】
しかしながら、従来の自動販売機では、支軸固定板に設けた挿通孔にボルトを挿通するとともに、自動販売機本体側に設けた固定孔にボルトを螺合することにより支軸を固定するようにしているため、外扉の仕様が異なる場合など、支軸の位置を変更する場合には、軸位置の異なる新たな支軸固定板を用いなければならず、部品の種類が増加して製造コストが高くなるという問題点があった。
【０００４】
また、従来では、支軸固定板を２本のボルトによって自動販売機本体側の２箇所に固定することにより、支軸固定板の回動を規制するようにしているため、支軸固定板が大型化するとともに、ボルトの本数が多くなり製造コストが高くなるという問題点があった。
【０００５】
本発明は前記問題点に鑑みてなされたものであり、その目的とするところは、外扉の支軸を固定した支軸固定板を用いる構成であっても、製造コストの低減を図ることのできる自動販売機を提供することにある。
【課題を解決するための手段】
【０００６】
本発明は前記目的を達成するために、前面を開口した自動販売機本体と、自動販売機本体の前面を開閉する外扉と、外扉の下端側を回動自在に支持する支軸と、支軸が上方に延びるように固定され、自動販売機本体側にボルトによって固定される支軸固定板とを備えた自動販売機において、前記自動販売機本体側に支軸固定板を固定するボルトが螺合可能な第１の固定孔及び第２の固定孔を設け、支軸固定板には、第１の固定孔に螺合するボルトを挿通することにより支軸を自動販売機本体に対して所定の第１の軸位置に位置決めする第１の挿通孔と、第２の固定孔に螺合するボルトを挿通することにより支軸を自動販売機本体に対して第１の軸位置とは異なる所定の第２の軸位置に位置決めする第２の挿通孔とを設けている。
【０００７】
これにより、自動販売機本体側に支軸固定板を固定するボルトを螺合可能な第１及び第２の固定孔が設けられるとともに、支軸固定板に第１の固定孔に螺合するボルトが挿通される第１の挿通孔と、第２の固定孔に螺合するボルトが挿通される第２の挿通孔が形成されていることから、外扉の仕様が異なる場合など支軸の位置を変更する場合においても、共通の支軸固定板によって第１の軸位置及び第２の軸位置にそれぞれ固定可能となる。
【０００８】
また、前面を開口した自動販売機本体と、自動販売機本体の前面を開閉する外扉と、外扉の下端側を回動自在に支持する支軸と、支軸が上方に延びるように固定され、自動販売機本体側にボルトによって固定される支軸固定板とを備えた自動販売機において、前記支軸固定板の下面に支軸の下端側を突出させてなる突出部を設け、自動販売機本体側には突出部を係合することによりボルトに対して支軸固定板の回動を規制する回動規制孔を設けている。
【０００９】
これにより、支軸固定板の下面に設けた突出部と自動販売機本体側に設けた回動規制孔とが係合することから、一つのボルトによって支軸固定板が回動することなく固定される。
【発明の効果】
【００１０】
本発明によれば、外扉の仕様が異なる場合など支軸の位置を変更する場合においても、共通の支軸固定板を用いることができるので、製造コストの低減を図ることができる。
【００１１】
また、本発明によれば、一つのボルトによって支軸固定板を自動販売機本体に固定するのみでボルトに対する支軸固定板の回動を規制することができるので、支軸固定板を小型化するとともに、部品点数を少なくすることによって製造コストの低減を図ることができる。
【発明を実施するための最良の形態】
【００１２】
図１乃至図８は本発明の一実施形態を示すもので、図１は自動販売機の全体斜視図、図２は外扉を開放した自動販売機の全体斜視図、図３はその要部斜視図、図４はその要部分解斜視図、図５及び図６は支軸を第１の軸位置に設定する場合の動作説明図、図７及び図８は支軸を第２の軸位置に設定する場合の動作説明図である。
【００１３】
この自動販売機は、前面を開口した自動販売機本体１０と、自動販売機本体１０の前面を開閉する外扉２０と、自動販売機本体１０と外扉２０とのそれぞれの上端側を連結する上部連結機構３０と、自動販売機本体１０と外扉２０とのそれぞれの下端側を連結する下部連結機構４０とから構成されている。
【００１４】
自動販売機本体１０は、その前面を内扉１１によって開閉する断熱性の商品収納庫１２と、商品収納庫１２の下方に設けられた機械室１３とを備え、機械室１３内には図示しない冷凍機や電装ユニットが収納されている。
【００１５】
外扉２０は、前面に商品サンプル２１、商品選択スイッチ２２、硬貨投入口２３、紙幣投入口２４、硬貨返却口２５及び商品取出口２６を備え、その幅方向一端側を自動販売機本体１０の前面側に回動自在に支持されている。
【００１６】
上部連結機構３０は、自動販売機本体１０の上面から外扉２０の上面に亘るように設けられた金属製の上部連結板３１を備え、上部連結板３１の後端側は自動販売機本体１０に固定されるとともに、前端側の下面には下方に延びるように設けられた図示しない支軸によって外扉２０の上端側を回動自在に支持するようになっている。
【００１７】
下部連結機構４０は、外扉２０の下端側を回動自在に支持する支軸４１と、支軸４１が固定されるとともに、自動販売機本体１０の底面前端側に固定される支軸固定板４２とを備えている。
【００１８】
支軸４１は、焼き入れ処理を施した金属製の棒状部材からなり、その下端側を支軸固定板４２の下面から突出させた状態で溶接等により支軸固定板４２に固定されている。また、支軸４１の上端側は外扉２０の下端側に設けられた支持板２０ａの孔２０ｂに挿入されるようになっており、支軸固定板４２の上面側に位置する支軸４１の外径を上端側の外径よりも大きく形成することにより、ブシュ４１ａを介して外扉２０の下端側を回動自在に支持するようになっている。
【００１９】
支軸固定板４２は前後方向に延びる金属製の部材からなり、その前端側に支軸４１が固定されている。支軸固定板４２の後端側にはボルト４３を挿通可能な第１の挿通孔４２ａが設けられ、自動販売機本体１０に設けられた第１の固定孔１０ａに第１の挿通孔４２ａを介してボルト４３を螺合することにより、支軸４１を所定の第１の軸位置に配置した状態で支軸固定板４２が自動販売機本体１０に固定されるようになっている。また、支軸固定板４２には第１の挿通孔４２ａから前方に所定の間隔Ｌ1 をおいてボルト４３を挿通可能な第２の挿通孔４２ｂが設けられ、第１の固定孔１０ａの前方に所定の間隔Ｌ2 をおいて自動販売機本体１０に設けられた第２の固定孔１０ｂに第２の挿通孔４２ｂを介してボルト４３を螺合することにより、支軸４１を所定の第２の軸位置に配置した状態で支軸固定板４３が自動販売機本体１０に固定されるようになっている。このとき、第１の挿通孔４２ａ及び第２の挿通孔４２ｂの間隔Ｌ1 と第１の固定孔１０ａ及び第２の固定孔１０ｂの間隔Ｌ2 とは互いに第１及び第２の軸位置の間隔だけ距離が異なるように形成されている。また、支軸固定板４２の下面には支軸４１の下端側を突出させることにより突出部４２ｃが設けられるとともに、第１及び第２の軸位置に対応する自動販売機本体１０には突出部４２ｃを係合することにより支軸固定板４２の回動を規制する第１及び第２の回動規制孔１０ｃ，１０ｄがそれぞれ設けられている。ここでは、図４に示すように、第１及び第２の軸位置の距離は支軸４１の外径よりも小さいので、各回動規制孔１０ｃ，１０ｄはその一部を互いに共有するように一つの開口部として形成されている。更に、支軸固定板４２の幅方向一端側には端部を上方に屈曲することにより前後方向に延びる屈曲部４２ｄが形成され、外部からプライヤー等の工具を挿入してボルト４３を外すといった不正行為を防止するようになっている。
【００２０】
以上のように構成された自動販売機において、支軸４１を第１の軸位置に設定する場合には、支軸固定板４２の突出部４２ｃを第１の回動規制孔１０ｃに挿通することにより支軸固定板４２を位置決めし、ボルト４３を第１の挿通孔４２ａを介して第１の固定孔１０ａに螺合することにより支軸固定板４２が固定される。
【００２１】
また、支軸４１を第２の軸位置に設定する場合には、支軸固定板４２の突出部４２ｃを第２の回動規制孔１０ｄに挿通することにより支軸固定板４２を位置決めし、ボルト４３を第２の挿通孔４２ｂを介して第２の固定孔１０ｂに螺合することにより支軸固定板４２が固定される。
【００２２】
このように、本実施形態の自動販売機によれば、自動販売機本体１０に支軸固定板４２を固定するボルト４３が螺合可能な第１の固定孔１０ａ及び第２の固定孔１０ｂを設け、支軸固定板４２には、第１の固定孔１０ａに螺合するボルト４３を挿通することにより支軸４１を第１の軸位置に位置決めする第１の挿通孔４２ａと、第２の固定孔１０ｂに螺合するボルト４３を挿通することにより支軸４１を第２の軸位置に位置決めする第２の挿通孔４２ｂとを設けたので、外扉２０の仕様が異なる場合など支軸４１の位置を変更する場合においても、共通の支軸固定板４２を用いることができ、製造コストの低減を図ることができる。
【００２３】
また、第１及び第２の固定孔１０ａ，１０ｂの間隔Ｌ1 と第１及び第２の挿通孔４２ａ，４２ｂの間隔Ｌ2 とを互いに第１及び第２の軸位置の間隔だけ距離が異なるように形成したので、支軸固定板４２を一方向に延びるように形成することができ、支軸固定板４２を小型化することによって製造コストの低減を図ることができる。
【００２４】
また、支軸固定板４２の下面に突出部４２ｃを設けて自動販売機本体１０に設けられた第１の回動規制孔１０ｃまたは第２の回動規制部材１０ｄに係合するようにしたので、一つのボルト４３によって支軸固定板４２を自動販売機本体１０に固定するのみで支軸固定板４２の回動を規制することができ、支軸固定板４２を小型化するとともに、部品点数を少なくすることによって製造コストの低減を図ることができる。
【００２５】
また、支軸固定板４２の幅方向一端側に上方に屈曲する屈曲部４２ｄを設けたので、プライヤー等の工具によってボルト４３を外すといった不正行為を防止することができるとともに、支軸固定板４２の曲げ強度を大きくすることができ、板厚の薄い部材によって支軸固定板４２を形成することにより製造コストの低減を図ることができる。
【００２６】
尚、前記実施形態では、突出部４２ｃと係合する第１及び第２の回動規制孔１０ｃ，１０ｄを自動販売機本体１０にそれぞれ設けたものを示したが、図９に示すように、第１の軸位置から第２の軸位置に亘って延びる一つの長孔によって回動規制孔１０ｅを形成するようにしてもよい。この場合、突出部４２ｃを容易に回動規制孔１０ｅに挿入することができるとともに、突出部４２ｃを回動規制孔１０ｅに挿入した後に支軸固定板４２を前後方向に移動させるのみで第１の軸位置または第２の軸位置に位置決めすることができ、支軸固定板４２をボルト４３によって容易に自動販売機本体１０に固定することができる。
【００２７】
また、前記実施形態では、支軸４１の下端側を支軸固定板４２の下面から突出させた状態で支軸４１を支軸固定板４２に固定することにより突出部４２ｃを設けたものを示したが、支軸４１を支軸固定板４２の下面から突出させることなく、支軸固定板４２の下面に別途突出部を形成するようにしてもよい。
【００２８】
また、前記実施形態では、支軸固定板４２の下面に設けた突出部４２ｃを自動販売機本体１０側に設けた第１または第２の回動規制孔１０ｃ，１０ｄに係合して支軸固定板４２の回動を規制することにより、支軸４１を第１及び第２の軸位置の二箇所に固定可能に構成したものを示したが、本発明は、図１０に示すように、自動販売機本体１０に対して支軸４１の位置が固定される支軸固定板４４に突出部４４ｃを設け、突出部４４ｃを自動販売機本体１０側に設けた回動規制孔１０ｆに係合させ、ボルト４３を挿通孔４４ａを介して固定孔１０ｇに螺合することにより、支軸４１を一箇所のみに固定するようにしたものにも適用することができる。このとき、支軸固定板４４を一つのボルト４３によって自動販売機本体１０に固定するのみで支軸固定板４４の回動を規制することができ、支軸固定板４４を小型化するとともに、部品点数を少なくすることによって製造コストの低減を図ることができる。
【図面の簡単な説明】
【００２９】
【図１】本発明の一実施形態を示す自動販売機の全体斜視図
【図２】外扉を開放した自動販売機の全体斜視図
【図３】自動販売機の要部斜視図
【図４】自動販売機の要部分解斜視図
【図５】支軸を第１の軸位置に設定する場合の動作説明図
【図６】支軸を第１の軸位置に設定する場合の動作説明図
【図７】支軸を第２の軸位置に設定する場合の動作説明図である
【図８】支軸を第２の軸位置に設定する場合の動作説明図である
【図９】第１及び第２の回動規制孔を一つの長孔とした場合を示す自動販売機の要部分解斜視図
【図１０】その他の例を示す自動販売機の要部分解斜視図
【符号の説明】
【００３０】
１０…自動販売機本体、１０ａ…第１の固定孔、１０ｂ…第２の固定孔、１０ｃ…第１の回動規制孔、１０ｄ…第２の回動規制孔、１０ｅ…回動規制孔、１０ｆ…回動規制孔、２０…外扉、４１…支軸、４２…支軸固定板、４２ａ…第１の挿通孔、４２ｂ…第２の挿通孔、４２ｃ…突出部、４２ｄ…屈曲部、４４…支軸固定板、４４ｃ…突出部。
【図１】
2006079153.tif 000003
【図２】
2006079153.tif 000004
【図３】
2006079153.tif 000005
【図４】
2006079153.tif 000006
【図５】
2006079153.tif 000007
【図６】
2006079153.tif 000008
【図７】
2006079153.tif 000009
【図８】
2006079153.tif 000010
【図９】
2006079153.tif 000011
【図１０】
2006079153.tif 000012